(57)【特許請求の範囲】
【請求項１】
少なくとも先側付近が可撓性を有していて内視鏡の処置具挿通チャンネル内に挿通されるチューブと、
上記チューブの先端付近に軸線方向に平行に切り込まれた複数の切れ目と切れ目との間によって形成されて軸線方向に圧縮力を受けることによって外方に膨出する帯状部と、
上記チューブの内腔を外部装置に連通接続させるために上記チューブの基端側に連通して設けられた接続口金と、
上記チューブの内径に対して隙間をあけて上記チューブ内に挿通されて先端が上記帯状部より先側において上記チューブに固定されたワイヤ部材と、
上記ワイヤ部材を上記チューブの基端側から先側に押し込んで上記帯状部を真っ直ぐに伸ばす状態と、上記ワイヤ部材を上記チューブの基端側から牽引して上記帯状部を膨出させる状態の何れの状態でも維持することができるように、上記ワイヤ部材と上記チューブの基端側において係脱自在に係合する係合機構とを
設けたことを特徴とする内視鏡用多目的チューブ。
【請求項２】
上記ワイヤ部材が、上記チューブの基端側において上記チューブに対して軸線方向に可動である請求項１記載の内視鏡用多目的チューブ。
【請求項３】
上記ワイヤ部材を軸線方向に移動させる操作を行うための操作部が上記チューブの基端に連結されている請求項２記載の内視鏡用多目的チューブ。
【請求項４】
上記接続口金が上記操作部に設けられている請求項３記載の内視鏡用多目的チューブ。
【請求項５】
上記ワイヤ部材の先端を上記チューブの先側部分に固定するためのワイヤ固定部材の後端面が、円錐形状に形成されて上記切れ目を望む位置に配置されている請求項１、２、３又は４記載の内視鏡用多目的チューブ。
【請求項６】
上記帯状部の長手方向の中央より先側で上記ワイヤ部材の先端部分が曲がらないようにするためのワイヤ硬直化手段が設けられている請求項１、２、３、４又は５記載の内視鏡用多目的チューブ。
【発明の詳細な説明】
【０００１】
【発明の属する技術分野】
この発明は、内視鏡の処置具挿通チャンネル内に挿通されて、体腔内への洗浄液の噴射及び吸引回収や、色素液の散布及び吸引回収等を行うための内視鏡用多目的チューブに関する。
【０００２】
【従来の技術】
内視鏡の処置具挿通チャンネルに挿通して使用されるチューブ類は、従来は、目的別に専用化されていて、体腔内への洗浄液の噴射には洗浄チューブ、色素液の散布には散布チューブ、吸引には吸引チューブが用いられている。
【０００３】
【発明が解決しようとする課題】
そのような各種チューブは、各々が専用化されていて共用は困難である。例えば散布チューブは先端部分に細い螺旋溝が形成されているので、吸引に使用するとすぐに詰まって使用できなくなってしまう。
【０００４】
そこで本発明は、一本で体腔内の洗浄、色素散布及び吸引等を問題なく行うことができる内視鏡用多目的チューブを提供することを目的とする。
【０００５】
【課題を解決するための手段】
上記の目的を達成するため、本発明の内視鏡用多目的チューブは、少なくとも先側付近が可撓性を有していて内視鏡の処置具挿通チャンネル内に挿通されるチューブと、上記チューブの先端付近に軸線方向に平行に切り込まれた複数の切れ目と切れ目との間によって形成されて軸線方向に圧縮力を受けることによって外方に膨出する帯状部と、上記チューブの内腔を外部装置に連通接続させるために上記チューブの基端側に連通して設けられた接続口金と、上記チューブの内径に対して隙間をあけて上記チューブ内に挿通され、上記帯状部を外方へ膨出させた状態に維持するために上記チューブを軸線方向に圧縮する状態に取り付けられたワイヤ部材とを設けたことを特徴とする。
【０００６】
なお、上記ワイヤ部材が、上記チューブの基端側において上記チューブに対して軸線方向に可動であってもよく、上記ワイヤ部材を軸線方向に移動させる操作を行うための操作部が上記チューブの基端に連結されていてもよい。また、上記接続口金が上記操作部に設けられていてもよい。
【０００７】
そして、上記ワイヤ部材の先端を上記チューブの先側部分に固定するためのワイヤ固定部材の後端面が、円錐形状に形成されて上記切れ目を望む位置に配置されていてもよい。
【０００８】
また、上記帯状部の長手方向の中央より先側で上記ワイヤ部材の先端部分が曲がらないようにするためのワイヤ硬直化手段が設けられていてもよい。
【０００９】
【発明の実施の形態】
図面を参照して本発明の実施の形態を説明する。
図１は、本発明の第１の実施の形態の内視鏡用多目的チューブを示しており、図示されていない内視鏡の処置具挿通チャンネルに挿脱される可撓性チューブ１１は、ナイロン、ＨＤＰＥ（ポリエチレン）、ポリウレタン樹脂又は四フッ化エチレン樹脂等を素材としている。なお、可撓性チューブ１１は、少なくとも先端付近が可撓性を有していればよい。
【００１０】
可撓性チューブ１１の先端近傍の側壁部には、軸線方向に平行に複数の切れ目１５が形成されている。切れ目１５は、９０°間隔で４箇所に形成されている。ただし、本発明は必ずしもそれに限定されるものではなく、切れ目１５は３〜８箇所に形成してもよく、それより多くてもよい。
【００１１】
可撓性チューブ１１の先端部分は、切れ目１５で切り分けられることによって、各切れ目１５と切れ目１５との間の部分が、帯状部１６に形成され、その部分を軸線方向に圧縮させると、図１及び正面図である図２に示されるように、各帯状部１６が外方に膨出する。
【００１２】
可撓性チューブ１１を軸線方向に伸ばす力を加えると、図３及びそのＩＶ−ＩＶ拡大正面断面図である図４に示されるように、帯状部１６が真っ直ぐの状態に戻る。なお図４は、切れ目１５がハッチング線と紛らわしくならないようにするために、４５°回転させた状態で示してある。
【００１３】
可撓性チューブ１１内には、全長にわたってワイヤ１３が挿通されている。可撓性チューブ１１とワイヤ１３との間の隙間を流体通路として用いることができるように、ワイヤ１３の直径は可撓性チューブ１１の内径に対して充分に細く設定されている。
【００１４】
ワイヤ１３の先端は、可撓性チューブ１１の先端に固着された先端チップ１４にはんだ付け等によって固着されている。先端チップ１４の後端面は、この実施の形態においてはワイヤ１３の軸線に対して垂直な平面であり、切れ目１５の前端部付近の内側に位置している。
【００１５】
可撓性チューブ１１の基端は、操作部２０の外筒２１に接続固定されている。外筒２１は注射筒状であり、ワイヤ１３の基端が固着されたピストン状の操作軸２２が軸線方向に進退自在に内挿されている。その嵌合部にはシール用のＯリング２３が取り付けられている。
【００１６】
外筒２１から突出した操作軸２２の基端には、操作者の手の親指を係止させるためのリング状の第１の指掛け２４が形成されており、外筒２１の外周部には、人指し指と中指を係止させるために二つの鍔を間隔をあけて突設した第２の指掛け２５が形成されている。
【００１７】
操作軸２２の外周面には、図１中に併示された輪郭図にも示されるようなＬ字状の溝２７が形成されていて、外筒２１から内方に突設されたピン２８の先端部分が、その溝２７に係合している。
【００１８】
したがって、ピン２８を溝２７の横溝部２７ａに係合させると、操作軸２２を軸線方向に動かすことができない状態になる。この時は、ワイヤ１３が先側へ押し出されるので、帯状部１６が真っ直ぐに伸ばされた状態になる。
【００１９】
図１に示されるように、ピン２８を溝２７の直線部２７ｂに係合させれば、操作軸２２が軸線方向に可動になり、ピン２８が溝２７の直線部２７ｂに係合した状態では、ワイヤ１３が牽引されて帯状部１６が外方に膨出した状態になる。
【００２０】
直線部２７ｂの底面の途中には、小さな突起２９（ストッパ）が３箇所に突設されていて、その各部において、ピン２８が引っ掛かって操作軸２２を静止させることができるようになっている。
【００２１】
ただし、ピン２８が突起２９に引っ掛かった状態で操作軸２２を軸線方向に少し力を入れて押し引きすれば、ピン２８が突起２９を乗り越えて操作軸２２が移動する。
【００２２】
したがって、ピン２８と突起２９は操作軸２２の移動に対していわゆるクリックとして作用し、外筒２１に対する操作軸２２の静止位置を変えることによって、帯状部１６の膨出量の大きさを３段階に任意に選択することができる。
【００２３】
操作軸２２の外筒２１から突出した部分には、図示されていない外部装置に接続される接続口金３１が形成されていて、操作軸２２の軸線部に貫通して穿設された流体通路３２が、接続口金３１に連通している。
【００２４】
このように構成された内視鏡用多目的チューブは、内視鏡の処置具挿通チャンネルに通す際には、操作部２０のピン２８を溝２７の横溝部２７ａに係合させて、先端の帯状部１６を膨出していない真っ直ぐの状態にしておく。
【００２５】
そして、可撓性チューブ１１の先端部分が処置具挿通チャンネルを通過したら、ピン２８を溝２７の直線部２７ｂに係合させて、帯状部１６が膨出した状態で使用する。
【００２６】
内視鏡用多目的チューブを洗浄チューブ又は散布チューブとして使用する場合には、ピン２８を突起２９に係止させて、ワイヤ１３を牽引状態で固定し、図示されていない洗浄液供給装置又は色素液供給装置を接続口金３１に接続する。
【００２７】
そして、洗浄液又は色素液を接続口金３１から送り込むと、それが流体通路３２、外筒２１内及び可撓性チューブ１１内を通って、図５に示されるように、可撓性チューブ１１先端の広がった切れ目１５の開口部分から、一部は直接外方に放出され、一部は先端チップ１４の後端面にぶつかってから外方に放出される。
【００２８】
体腔内の粘膜表面の特定箇所を洗浄する洗浄チューブとして内視鏡用多目的チューブを使用する場合には、例えばワイヤ１３の牽引量が最大になるように一番奥の突起２９にピン２８を係止させて、帯状部１６を最大限に膨出させた状態に固定する。
【００２９】
すると、図６に示されるように、切れ目１５の開口の軸線方向の長さが短くなっているので、略側方に洗浄液が噴出されて側方の特定箇所を洗浄することができ、ワイヤ１３の牽引量を変えて切れ目１５の開口の長さを変えることによって、洗浄範囲の広さを自由に変えることができる。
【００３０】
体腔内の粘膜表面を広く染色するための色素散布チューブとして内視鏡用多目的チューブを使用する場合には、ワイヤ１３の牽引量が小さい位置の突起２９にピン２８を係止させる。すると、図７に示されるように、切れ目１５の開口の長さが長いので、広い範囲に色素液を散布させて、粘膜表面をくまなく染色することができる。
【００３１】
体腔内に溜まった洗浄液、色素液又は汚液等を吸引するための吸引チューブとして内視鏡用多目的チューブを使用する場合には、接続口金３１に吸引装置を接続して、図８に示されるように、内視鏡１の処置具挿通チャンネル２の先から可撓性チューブ１１の先端を突き出す。
【００３２】
そして、ワイヤ１３を牽引固定して広げられた状態の切れ目１５の開口を汚液等１００の中に差し込めば、汚液等１００が可撓性チューブ１１、外筒２１及び流体通路３２内を通って吸引除去される。このとき、切れ目１５の開口部分を含めて、吸引通路の途中に狭窄部がないので、詰まりが発生しない。
【００３３】
図９は本発明の第２の実施の形態を示しており、接続口金３１を外筒２１部分に突設したものである。このように形成すると、操作軸２２に流体通路３２を設ける必要がない。
【００３４】
図１０ないし図１２は本発明の第３ないし第５の実施の形態を示しており、切れ目１５による開口を望む位置にある先端チップ１４の後端面を円錐状に形成して、可撓性チューブ１１内からの液の放出方向を選択できるようにしたものである。
【００３５】
図１０に示されるものでは、先端チップ１４の後端面が頂角９０°の円錐状に形成されている。したがって、軸線方向に送られてきた液の多くが軸線と略直角の側方に向かって放出される。
【００３６】
これに対して、図１１に示されるものでは、先端チップ１４の後端面の角度が９０°より小さいので液の放出方向が前方寄りになり、図１２に示されるものでは、先端チップ１４の後端面の角度が９０°より大きいので液の放出方向が後方寄りになる。なお、図１２に示されるように、ワイヤ１３の先端は先端チップ１４を突き抜けていなくてもよい。
【００３７】
なお、ワイヤ１３が最先端部分まで可撓性を有していると、図１３に示されるように、ワイヤ１３が牽引された時に、可撓性チューブ１１の先端部分が一方向に折れ曲がって首を振ってしまう場合がある。
【００３８】
そこで、例えば図１４及び図１５に示されるように、帯状部１６の長手方向の中央より先側にワイヤ１３の可撓性部分が存在しないように、ワイヤ１３の先端部分にパイプ３４を被覆したり、はんだ等によって硬化処理３５を施してもよい。このようにすることにより、可撓性チューブ１１の先端部分の首振りを防止することができる。
【００３９】
【発明の効果】
本発明によれば、可撓性を有するチューブの先端付近に軸線方向に平行に切り込まれた複数の切れ目と切れ目との間によって形成されて軸線方向に圧縮力を受けることによって外方に膨出する帯状部を、通常の状態において外方へ膨出させた状態に維持するように、チューブを軸線方向に圧縮する状態にワイヤ部材を取り付け、チューブの内腔を外部装置に連通接続させるようにチューブの基端側に接続口金を設けたことにより、一本の内視鏡用多目的チューブを、体腔内へ洗浄液を噴射するための洗浄範囲可変の洗浄チューブ、色素液等を散布するための散布範囲の広い散布チューブ、及び詰まりなく体腔内から吸引を行うための吸引チューブ等として汎用的に使用することができ、内視鏡の処置具挿通チャンネルに対して一回挿入するだけで洗浄、散布及び吸引等の各種の処置を迅速に行うことができる。
【図面の簡単な説明】
【図１】本発明の第１の実施の形態の内視鏡用多目的チューブの帯状部が膨出した状態の側面断面図である。
【図２】本発明の第１の実施の形態の内視鏡用多目的チューブの帯状部が膨出した状態の正面図である。
【図３】本発明の実施の形態の内視鏡用多目的チューブの帯状部が膨出していない状態の先端部分の側面図である。
【図４】図３におけるＩＶ−ＩＶ拡大断面図である。
【図５】本発明の第１の実施の形態の先端部分の側面断面図である。
【図６】本発明の第１の実施の形態の先端部分の側面図である。
【図７】本発明の第１の実施の形態の先端部分の側面図である。
【図８】本発明の第１の実施の形態の吸引使用時の略示図である。
【図９】本発明の第２の実施の形態の内視鏡用多目的チューブの帯状部が膨出した状態の側面断面図である。
【図１０】本発明の第３の実施の形態の内視鏡用多目的チューブの先端部分の側面断面図である。
【図１１】本発明の第４の実施の形態の内視鏡用多目的チューブの先端部分の側面断面図である。
【図１２】本発明の第５の実施の形態の内視鏡用多目的チューブの先端部分の先端部分の側面断面図である。
【図１３】チューブの先端が首を振った状態の先端部分の側面断面図である。
【図１４】本発明の第６の実施の形態の内視鏡用多目的チューブの先端部分の先端部分の側面断面図である。
【図１５】本発明の第７の実施の形態の内視鏡用多目的チューブの先端部分の先端部分の側面断面図である。
【符号の説明】
１１  可撓性チューブ
１３  ワイヤ
１４  先端チップ
１５  切れ目
１６  帯状部
２０  操作部
２７  溝
２８  ピン
２９  突起
３１  接続口金
【図１】
0003595421.tif 000002
【図２】
0003595421.tif 000003
【図３】
0003595421.tif 000004
【図４】
0003595421.tif 000005
【図５】
0003595421.tif 000006
【図６】
0003595421.tif 000007
【図７】
0003595421.tif 000008
【図８】
0003595421.tif 000009
【図９】
0003595421.tif 000010
【図１０】
0003595421.tif 000011
【図１１】
0003595421.tif 000012
【図１２】
0003595421.tif 000013
【図１３】
0003595421.tif 000014
【図１４】
0003595421.tif 000015
【図１５】
0003595421.tif 000016